(57)【特許請求の範囲】
【請求項１】
可変表示部の表示結果が所定の表示態様になると所定の入賞を発生可能な遊技装置において、
前記入賞に関連して遊技価値を付与可能な遊技価値付与手段と、
有価価値記憶媒体を受け付けると、遊技者の操作を必要とせずに、自動的に前記有価価値記憶媒体によって特定される有価価値を遊技価値に変換する有価価値変換手段と、
少なくとも前記入賞に関連して付与され前記有価価値への変換が不能な遊技価値を、所定の上限値まで記憶可能な第１のクレジット手段と、
前記有価価値変換手段が変換した遊技価値を所定の上限値まで記憶可能な第２のクレジット手段と、
遊技者に前記有価価値記憶媒体を返却するための返却スイッチと、
ベット操作を行うためのベットボタンと、
前記返却スイッチの操作によって、前記第２のクレジット手段に記憶された遊技価値を所定単位に基づいて、前記有価価値記憶媒体によって特定される有価価値に再変換する再変換手段と、
前記第２のクレジット手段に記憶された遊技価値を、前記第１のクレジット手段に記憶される遊技価値に変換する記憶領域変換手段と、を備え、
前記記憶領域変換手段は、
前記ベットボタンによって前記ベット操作とは異なる所定の操作が受け付けられた場合には、前記第２のクレジット手段に記憶された遊技価値のうちの所定数量を、前記第１のクレジット手段に記憶される遊技価値に変換し、
前記第２のクレジット手段に記憶された遊技価値が前記再変換手段によって前記有価価値に再変換された場合には、再変換時に余りとなる遊技価値を、前記第１のクレジット手段に記憶される遊技価値に変換することを特徴とする遊技機。
【発明の詳細な説明】
【０００１】
【発明が属する技術分野】
本発明は複数種類の図柄を可変表示可能な可変表示装置を備え、遊技者の停止操作によって図柄を停止可能な可変表示遊技（可変表示ゲーム）を実行可能な遊技機（例えば、パチスロ機や球スロ機）に関し、特に、記憶媒体（カード形、コイン形、タグ形等）を読み取り可能な付加装置（カードユニット等）カードユニットを設けた遊技機に関する。
【０００２】
【従来の技術】
従来の遊技機（パチスロ機、球スロ機等のスロットマシン）は、遊技機（パチスロ機）に隣接して設けられたメダル貸出機に紙幣（例えば、１０００円）を投入すると、メダル貸出機の受皿に１０００円に相当するメダル（例えば、５０枚）が排出される。遊技者はメダル貸出機から排出されたメダルを手で掴み、遊技機の下皿に移す。そして、遊技者は下皿からメダルを取り、メダル投入口にメダルを投入して遊技を行う。
【０００３】
一方、パチンコ機では、パチンコ機に隣接して設けられたカードユニットはパチンコ機と接続されており、有価価値が記憶されたプリペイドカードを利用して貸球が可能であり、遊技者が球貸操作を行うと所定数の球に相当する有価価値がプリペイドカードから減算され、所定数の球がパチンコ機の球排出装置から排出され、上皿に流入する。
【０００４】
また、パチスロ機では、賞が発生して払い出されたメダルは所定上限（５０枚）までクレジット可能である。
【０００５】
【発明が解決しようとする課題】
このようなパチスロ機に、パチンコ機のようなプリペイドカードを使用するカードユニットを接続すると、パチンコ機のように排出装置から貸メダルの排出が可能となる。しかし、パチスロ機の下皿に排出装置から直接貸メダルが排出されても、ゲームを実行するたびに貸し出されたメダルをメダル投入口に投入しなければならないので煩わしい。また、遊技店にとっても、メダル貸し機やパチスロ機へのメダルの補給が煩雑である。
【０００６】
また、貸メダルをクレジットするようにした場合、クレジットに残数が有るままメダル貸し要求をしたら、半端な数でクレジットの上限に到達してしまい、半端な数で貸メダルが終了することになる。また、カードユニットからクレジット部にデータを移動する場合、クレジット上限を超えてしまうと、クレジットができずに、上限を超えた分をメダルで排出する必要がある。この場合、クレジット上限近くで貸しＳＷを操作すると大半がメダルで排出され、クレジットの範囲内で貸し出すとカード残高に端数が生じてしまう。
【０００７】
本発明は、予め価値が記憶されている記憶媒体（例えば、プリペイドカード、ＩＣチップを内蔵したコイン、タグ等）を使用して遊技が可能なパチスロ機で、貸メダルによる遊技の煩わしさを軽減し、定められた変換数を正確に遊技者に供給することができる遊技装置を提供することを目的とする。
【０００８】
【課題を解決するための手段】
本発明は、可変表示部の表示結果が所定の表示態様になると所定の入賞を発生可能な遊技装置において、前記入賞に関連して遊技価値を付与可能な遊技価値付与手段と、有価価値記憶媒体を受け付けると、遊技者の操作を必要とせずに、自動的に前記有価価値記憶媒体によって特定される有価価値を遊技価値に変換する有価価値変換手段と、少なくとも前記入賞に関連して付与され前記有価価値への変換が不能な遊技価値を、所定の上限値まで記憶可能な第１のクレジット手段と、前記有価価値変換手段が変換した遊技価値を所定の上限値まで記憶可能な第２のクレジット手段と、遊技者に前記有価価値記憶媒体を返却するための返却スイッチと、ベット操作を行うためのベットボタンと、前記返却スイッチの操作によって、前記第２のクレジット手段に記憶された遊技価値を所定単位に基づいて、前記有価価値記憶媒体によって特定される有価価値に再変換する再変換手段と、前記第２のクレジット手段に記憶された遊技価値を、前記第１のクレジット手段に記憶される遊技価値に変換する記憶領域変換手段と、を備え、前記記憶領域変換手段は、前記ベットボタンによって前記ベット操作とは異なる所定の操作が受け付けられた場合には、前記第２のクレジット手段に記憶された遊技価値のうちの所定数量を、前記第１のクレジット手段に記憶される遊技価値に変換し、前記第２のクレジット手段に記憶された遊技価値が前記再変換手段によって前記有価価値に再変換された場合には、再変換時に余りとなる遊技価値を、前記第１のクレジット手段に記憶される遊技価値に変換する。
【０００９】
なお、第１の発明に係る遊技装置には、表示状態が変化可能な可変表示部を有する可変表示装置と、前記可変表示部の表示結果が導出表示されることによって可変表示ゲームが終了し、前記可変表示部の表示結果が所定の表示態様となったことに関連して所定の入賞を発生させる可変表示ゲームを制御する遊技制御手段と、を備えるように構成してもよい。
【００２０】
【発明の作用および効果】
本発明では、可変表示部の表示結果が所定の表示態様になると所定の入賞を発生可能な遊技装置において、前記入賞に関連して遊技価値を付与可能な遊技価値付与手段と、有価価値記憶媒体を受け付けると、遊技者の操作を必要とせずに、自動的に前記有価価値記憶媒体によって特定される有価価値を遊技価値に変換する有価価値変換手段と、少なくとも前記入賞に関連して付与され前記有価価値への変換が不能な遊技価値を、所定の上限値まで記憶可能な第１のクレジット手段と、前記有価価値変換手段が変換した遊技価値を所定の上限値まで記憶可能な第２のクレジット手段と、遊技者に前記有価価値記憶媒体を返却するための返却スイッチと、ベット操作を行うためのベットボタンと、前記返却スイッチの操作によって、前記第２のクレジット手段に記憶された遊技価値を所定単位に基づいて、前記有価価値記憶媒体によって特定される有価価値に再変換する再変換手段と、前記第２のクレジット手段に記憶された遊技価値を、前記第１のクレジット手段に記憶される遊技価値に変換する記憶領域変換手段と、を備え、前記記憶領域変換手段は、前記ベットボタンによって前記ベット操作とは異なる所定の操作が受け付けられた場合には、前記第２のクレジット手段に記憶された遊技価値のうちの所定数量を、前記第１のクレジット手段に記憶される遊技価値に変換し、前記第２のクレジット手段に記憶された遊技価値が前記再変換手段によって前記有価価値に再変換された場合には、再変換時に余りとなる遊技価値を、前記第１のクレジット手段に記憶される遊技価値に変換するので、有価価値から変換された遊技価値がクレジット化されるので、遊技媒体（メダル等）を遊技機に投入する必要がなくなり、遊技機の操作性が向上し、遊技における煩雑さを解消することができる。
【００２１】
さらに、前記第２のクレジット手段に記憶された遊技価値を前記第１のクレジット手段に記憶される遊技価値に変換する記憶領域変換手段を備えたので、第２のクレジット手段から第１のクレジット手段への遊技価値の変換を、容易な制御で変換することができる。
【００２２】
さらに、前記第２のクレジット手段に記憶された遊技価値を所定単位で、有価価値記憶媒体によって特定される有価価値に再変換する再変換手段を備えたので、遊技に使用されなかった遊技価値を再び有価価値記憶媒体に記憶することができるので、遊技価値（有価価値）を無駄にすることがない。
【００２３】
さらに、前記再変換手段は、所定単位数で、前記遊技価値を前記有価価値に再変換するので、有価価値記憶媒体に半端な有価価値が記録されることがなく、有価価値記憶媒体に記憶された有価価値の残数を容易に確認することができる。
【００２４】
さらに、前記記憶領域変換手段は、前記第２のクレジット手段に記憶された遊技価値を、前記再変換手段により所定単位で前記有価価値に再変換したときに、再変換時に余りとなる遊技価値を前記第１のクレジット手段に記憶される遊技価値に変換するので、再変換単位毎に遊技価値を有価価値に再変換する際に、再変換単位未満となる余り（端数）の遊技価値を、第１のクレジット手段に記憶することから、有価価値記憶媒体に半端な有価価値が記録されることがないとともに、端数を無駄にすることがない。
【００２５】
さらに、前記有価価値変換手段は、前記有価価値記憶媒体を受け付けると、該有価価値記憶媒体によって特定される有価価値を自動的に遊技価値に変換することから、遊技における煩雑さを解消することができる。また、有価価値記憶媒体を受け付けると、遊技者が貸出スイッチ等の操作をすることなく、遊技価値に変換され便利である。また、所定の変換可能な範囲で有価価値を遊技価値に変換するように構成すれば、過剰な遊技価値への変換を防止することもできる。
【００２６】
さらに、前記再変換手段は、前記返却スイッチの操作によって、前記第２のクレジット手段に記憶された遊技価値の再変換を行うので、記憶媒体の排出操作によって自動的に遊技価値を有価価値に変換して、有価価値記憶媒体に書き込むことができ、遊技における煩雑さを解消することができる。
このとき、第１のクレジット手段に記憶された遊技価値から、有価価値記憶媒体によって特定される有価価値への変換がされることはなく、第２クレジット手段に記憶された遊技価値から、有価価値記憶媒体によって特定される有価価値へのみ変換がされる。このように、第１のクレジット手段の遊技価値から有価価値への変換を認めず、第２のクレジット手段の遊技価値から有価価値へ変換のみを認めるので、不正に得たクレジット（遊技価値）を有価価値に変換されることがなく、安全性が悪化することがない。
【００２７】
さらに、前記記憶領域変換手段によって、ベットボタンによってベット操作とは異なる所定の操作が受け付けられた場合には、前記記憶領域変換手段によって、第２のクレジット手段に記憶された遊技価値のうちの所定数量を、有価価値への変換が不能な第１のクレジット手段に記憶される遊技価値に変換することができる。
【００３２】
【発明の実施の形態】
以下、本発明の実施の形態について、図面に基づいて説明する。
【００３３】
図１は、本発明の実施の形態の遊技機（パチスロ機）の構成を示す正面図である。
【００３４】
本実施の形態の遊技機１００には、有価価値を遊技価値に変換する有価価値変換手段としてのカードユニット３０が内蔵されており、遊技機１００（カードユニット３０）にカード（プリペイドカード等）を挿入することによって、カードにより特定される有価価値の範囲内で遊技価値の貸出を行うことができる。
【００３５】
本実施の形態の遊技機１００は、左側に蝶番を有し、この蝶番を軸として片開き形式に開閉自在な前面パネル２を備えている。この前面パネル２の背部には、可変表示装置（変動表示装置）を構成する３個のリール（可変表示部）４ａ、４ｂ、４ｃが回転自在な状態で横に並んで配置されている。各リール４ａ〜４ｃの外周面には、複数種類のシンボル（図柄）からなる図柄列が表記されている。リール４ａ〜４ｃはリール駆動部によって駆動され、互いに独立に回転するようになっている。このリール駆動部は、例えば、ステッピングモータ（４Ｍａ、４Ｍｂ、４Ｍｃ）から構成されている。本実施の形態の遊技機においては、リール４ａ〜４ｃの回転によって可変表示ゲームが行われ、前記可変表示の停止結果が有効ライン上において所定の停止表示態様（所定の図柄組合せ態様）となることに関連して所定の遊技価値を遊技者に付与するように構成されている。
【００３６】
前面パネル２の上半部の略中央には、リール４ａ〜４ｃの回転によって可変表示（変動表示）される図柄を遊技者に視認させるための表示窓部２０が設けられている。リール４ａ〜４ｃが停止している状態で、表示窓部２０からリール４ａ〜４ｃの外周面に表記された図柄列のうち３個の図柄がそれぞれ視認可能となっている。つまり、リール４ａ〜４ｃが停止した状態で表示窓部２０には合計９個の図柄が視認できる。
【００３７】
表示窓部２０の上方には、補助ゲームが実行されたり、可変表示ゲームに関連して演出表示、情報表示を行う補助表示装置５が設けられている。この補助表示装置５は表示制御装置３５によって制御され（図２参照）、表示内容を可変する。
【００３８】
表示窓部２０の左側方には、メダルの賭数（ベット数）に対応して有効化されたベットライン（有効ライン）を表示するベットライン表示部１３が設けられている。メダルのベット数とは、遊技者が遊技のために投入したメダルの数、又は、予め遊技者が投入したメダルの記憶数（クレジット数）から減算され、遊技に使用されるメダルの数である。なお、遊技を開始するために遊技者がメダルを投入したり、記憶数から減算したりする操作をベットという。
【００３９】
ベットライン表示部１３は、例えば、ベット数が１枚のときは、ベットライン表示部１３中央の「１」のランプだけが点灯して、中段の横ラインだけが有効ラインであることを示している。ベット数が２枚のときは、ベットライン表示部１３中央の「１」とその上下に設けられた「２」のランプが点灯して、上段、中段、下段の３本の横ラインが有効ラインであることを示している。ベット数が３枚のときは、ベットライン表示部１３の「１」「２」「３」の全てのランプが点灯して、３本の横ラインと右下がり、右上がりの２本の斜めラインの合計５ラインが有効ラインであることを示している。
【００４０】
表示窓部２０の右側方には、遊技状態を表示する遊技状態表示部１４が設けられている。遊技状態表示部１４は、遊技可能な状態であることを示し、メダルの投入を促す「ＩＮＳＥＲＴ  ＭＥＤＡＬＳ」表示、リプレイ入賞を獲得したこと及び現在行っている遊技がリプレイ入賞後のリプレイゲームであることを示す「ＲＥＰＬＡＹ」表示、遊技者がメダルを投入してスタートレバーを操作してからリールの回転が開始するまで待ち時間があることを示す「ＷＡＩＴ」表示、リールが停止してゲームが終了したことを示す「ＧＡＭＥ  ＯＶＥＲ」表示等で構成される。
【００４１】
表示窓部２０の下方には、遊技者が入賞を確定してメダルを獲得したときの払出枚数を表示する払出数表示部８、ＡＴ状態中、ビッグボーナス（ＢＢ）状態中又はレギュラーボーナス（ＲＢ）状態中の残りゲーム回数等を表示する遊技進行表示部１１、メダルのクレジット数を表示するクレジット数表示部１２Ａ（第１のクレジット数表示手段）、カードの記憶に関連して（カード内に記憶された有価価値に基づいて又はカード内に記憶された符号に関連して外部装置（例えば、ホールコンピュータ）に記憶された有価価値（残金額データ）に基づいて）変換されたメダル数を表示する貸しクレジット数表示部１２Ｂ（第２のクレジット数表示手段）、が設けられている。なお、貸しクレジット数表示部１２Ｂにメダル数でなく残金額データ（有価価値）を表示するように構成してもよい（クレジット情報表示手段）。
【００４２】
また、必要に応じて、カードの残高を表示するカード残高表示部を設けてもよい。これらの表示部８、１１、１２Ａ、１２Ｂは、７セグメントのＬＥＤや液晶ディスプレイ等を用いて構成する。
【００４３】
前面パネル２の上部には、透光性を有する前面カバー部材２５が装着され、この前面カバー部材２５の背部には、ランプやＬＥＤ等からなる装飾表示部３７やスピーカ等からなる音声発生部等が配設されている。
【００４４】
また、前面パネル２の上半部と下半部の中間にある傾斜台部２２には、メダルを投入するメダル投入口２５が配設され、遊技者はこの投入口にメダルを投入することにより遊技ができるようになっている。
【００４５】
また、傾斜台部２２には、押圧操作によってクレジットしたメダルを１枚ずつベット可能な１ベットボタン（１ベットスイッチ）１０と、１回の押圧操作によってベット可能枚数だけメダルがベットされるマックスベットボタン（ＭＡＸベットスイッチ）９が配設されている。このマックスベットボタン９を操作すると、例えば、メダルがベットされていないときには３枚メダルがベットされ、メダルが１枚ベットされているときは、さらに２枚のメダルがベットされる。これらベットボタン９、１０により、メダル投入口１５よりメダルを投入することなく、クレジット数表示部１２に表示されているクレジット数以内でメダルをベットすることができ、このベット数に応じて有効ラインが設定される。この１ベットボタン１０と、マックスベットボタン９とが、ベット手段として機能する。
【００４６】
前面パネル２の下半部には矩形状の化粧パネル１９が設けられている。化粧パネル１９の上方には、メダルをクレジットとして記憶可能なクレジット状態と記憶不能な非クレジット状態の何れか一方の状態に選択的に切換可能なクレジット選択ボタン（クレジット選択スイッチ）１８、リール４ａ〜４ｃの回転を開始させるためのスタートレバー（スタートレバースイッチ）６、が設けられている。
【００４７】
また、化粧パネル１９の上方には、リール４ａ〜４ｃの回転を停止させ、停止図柄を導出させるためのリール停止ボタン（リール停止スイッチ）７ａ、７ｂ、７ｃが設けられている。リール停止ボタン７ａ〜７ｃが操作されると、各スイッチに対応したリール４ａ〜４ｃが回転を停止する。
【００４８】
各リール停止ボタン７ａ〜７ｃには、リール停止ボタンを発光させることでリール停止ボタンが操作可能な状態であることを報知する操作情報ランプが内蔵されている。これらの操作情報ランプが点灯していない間はリール停止ボタン７ａ〜７ｃが操作不能となり、操作情報ランプが点灯している間はリール停止ボタン７ａ〜７ｃが操作可能となるように制御される。よって、操作情報ランプが点灯していない間はリール停止ボタン７ａ〜７ｃを操作してもリール４ａ〜４ｃの回転は停止しない。また、操作情報ランプの点灯色によって、リール停止ボタン７ａ〜７ｃが操作可能であるかを報知するようにしてもよい。
【００４９】
また、化粧パネル１９の左右両側方には、透光性を有する前面カバー部材２４、２４が装着されている。この前面カバー部材２４の背部には、ランプやＬＥＤ等からなる装飾表示部３７が配設されている。
【００５０】
また、化粧パネル１９の左側には、カードユニット３０のカード挿入部３０ａが設けられており、カード挿入部３０ａの奥には挿入されたカード（プリペイドカード等）のデータの読込、書込等を行うカードリーダライタと球貸制御装置が内蔵されている。このカードに記憶されているデータは、有価価値（金額）に相当する情報でもよいし、遊技価値（球数、メダル数等）に相当する情報でもよい。また、有価価値又は遊技価値に相当する情報は、カードに直接書き込まれている情報でもよく、カードに記憶された符号（カードのＩＤ番号）に対応して管理装置等の外部装置に記憶されている情報であってもよい。すなわち、カードリーダライタは、カードに記憶されている有価価値（例えば、金額情報）や遊技価値（球数、メダル数等）を直接読み出したり、カードに記憶されているＩＤ番号を読み出して、読み出したＩＤ番号に対応して管理装置等の外部装置に記憶されている有価価値の送信を受けるように構成してもよい。
【００５１】
なお、カードユニット３０に挿入され受け付けられる記憶媒体は磁気カード、ＩＣカードの他、カードのような四角形状ではなく、コイン形状、タグ形状等の記憶媒体であってもよい。
【００５２】
また、化粧パネル１９の左側のカード挿入部３０ａの横には、カードの返却を指令するカード返却スイッチ３０ｂが設けられている。
【００５３】
なお、本発明の実施の形態では、遊技機１００にカードリーダライタを備えるカードユニット３０を内蔵して遊技装置を構成したが、遊技機と別体のカードユニットと遊技機１００とを組み合わせて遊技装置を構成してもよい。すなわち、本発明における遊技装置は、遊技機（スロットマシン、パチスロ機、球スロ機等）及びカードユニットで構成されるものである。
【００５４】
また、化粧パネル１９の下方には、前面パネル２の背部にあるメダル払出部３より払出されたメダルを貯留可能な受皿２３や、灰皿２１が設けられている。
【００５５】
図２は、本発明の実施の形態の遊技機（パチスロ機）の制御系の一部を示すブロック図である。
【００５６】
本遊技機の制御系統は、遊技機内部に配置される遊技制御装置５０を主要な構成要素としている。遊技制御装置５０は、遊技の総括的制御（遊技進行の制御処理及び各被制御機器の制御）を行う制御装置で、ＣＰＵ５１、ＲＯＭ５２、ＲＡＭ５３、およびＩ／Ｆ（インターフェース）５４を備えている。このＣＰＵ等によって遊技制御手段、遊技価値付与手段、第１のクレジット手段、第２のクレジット手段、再変換手段、記憶領域変換手段、精算手段が実現され、遊技制御装置がこれらの手段として機能する。
【００５７】
ＣＰＵ５１は、制御部、演算部を備え、各種演算制御を行う他、予め定められている特別の図柄組み合わせ態様が主ゲームにおいて形成されるようにリール４ａ〜４ｃを停止させることを許可するか否かを決定する内部抽選用の乱数を生成して内部抽選を行う。内部抽選における各入賞の当選確率は遊技媒体の賭数により変更され、賭数が多いほど当選確率が高くなるように制御している。なお、ＣＰＵ５１のソフトウェア処理によって内部抽選用乱数を生成する代わりに、遊技制御装置５０に乱数を発生する乱数発生器を設け、該乱数発生器から出力される乱数を内部抽選用の乱数として用いて内部抽選を行うようにしてもよい。
【００５８】
この内部抽選の結果（入賞フラグの成立／未成立）は、サブ制御手段としての演出制御装置６０を介して表示制御装置３５に送信され、前記抽選結果に基づいて補助表示装置５の補助ゲームが制御される。補助ゲームが実行される確率も遊技媒体の賭数が多いほど確率が高くなるようにして、内部抽選の結果に応じて補助ゲームを適当な頻度で実行できるようにしてもよい。なお、この補助ゲームを実行するか否かを決定する抽選は、ＣＰＵ５１で行うこともできるが、サブ制御手段としての演出制御装置６０で行うようにしてもよい。
【００５９】
ＲＯＭ５２には、制御処理を実行するためのプログラムや制御データ（例えば、内部抽選用の判定値）が格納されている。ＲＡＭ５３はＣＰＵ５１で生成される内部抽選用の乱数の記憶領域や、その他の各種データ（例えば、メダルのクレジット数、メダルの賭数、成立フラグなど）を一時的に記憶する記憶領域及びＣＰＵ５１の作業領域を備えている。また、ＲＡＭ５３には、クレジット手段（第１のクレジット手段）、貸しクレジット手段（第２のクレジット手段）に対応した記憶領域が設けられており、クレジット手段と貸しクレジット手段とのクレジット数（遊技価値数）が記憶されている。なお、本実施の形態では、貸しクレジット手段（第２のクレジット手段）を遊技制御装置５０によって構成したが、貸しクレジット手段をカードユニット３０に設けるように構成してもよい。
【００６０】
入出力インターフェース（Ｉ／Ｆ）５４は、図示しないローパスフィルタやバッファゲートを介して、メダル検知センサ１５ａ、スタートレバースイッチ６、各リール停止ボタン７ａ〜７ｃ、リール位置検出センサ３１ａ、３１ｂ、３１ｃ、ベットスイッチ９、１０、クレジット選択スイッチ１８、払い出しメダル検出センサ３ａ、確率設定装置３２、リセットスイッチ３３、前面枠開放検出スイッチ３４及びカード返却スイッチ３０ｂから入力される信号をＣＰＵ５１に対して出力している。
【００６１】
メダル検知センサ１５ａは、メダル投入口１５より投入されたメダルを検知するセンサである。スタートレバースイッチ６は、スタートレバーが操作されたことを検出するスイッチである。リール停止スイッチ７ａ〜７ｃは、リール停止ボタンに各々設けられ、各リール停止ボタンが操作されたことを検出するスイッチである。リール停止スイッチ７ａ〜７ｃによって、リール停止ボタンの操作が検出されると、各々対応したリール４ａ〜４ｃの回転が停止する。リール位置検出センサ３１ａ〜３１ｃは、リール４ａ〜４ｃ毎に各々設けられ各リール４ａ〜４ｃの停止位置を検出するセンサである。
【００６２】
１ベットスイッチ１０は、１ベットボタンが押されたことを検出するスイッチである。マックスベットスイッチ９は、マックスベットボタンが押されたことを検出するスイッチである。クレジット選択スイッチ１８は、クレジット選択ボタンが押されたことを検出するスイッチである。払い出しメダル検出センサ３ａは、メダル払出部３から払い出されたメダルの枚数を検出するセンサである。リセットスイッチ３３は、遊技機の遊技状態をリセットするスイッチである。前面枠開放検出スイッチ３４は、前面パネル２が開放されたことを検出するスイッチである。
【００６３】
カード返却スイッチ３０ｂは、遊技者にカードを返却するためのスイッチであり、カード返却スイッチ３０ｂが操作されると、貸しクレジット手段（第２のクレジット手段）に貸しクレジットとして記憶されたメダル数（遊技価値）が、金額データ（有価価値）に変換されて記憶されるとともに、カード挿入口３０ａに挿入されたカードが排出され、遊技者にカードが返却される。なお、本実施の形態では、カード返却スイッチ３０ｂからの信号は遊技制御装置５０に入力されるが、カード返却スイッチ３０ｂをカードユニット３０に接続して、カード返却スイッチ３０ｂからの信号をカードユニット３０に入力して、カード返却スイッチ３０ｂの操作をカードユニット３０が監視するように構成してもよい。
【００６４】
確率設定装置３２は遊技機の設定を切り替える装置で、この設定は入賞フラグの成立する確率が異なる１〜６の設定が用意されており、設定１の入賞フラグの成立確率が一番低く、設定値が大きくなるにつれ入賞フラグの成立確率は高くなるように切り替えることができる。
【００６５】
また、入出力インターフェース（Ｉ／Ｆ）５４は、ＣＰＵ５１から出力される制御信号を、図示しない出力ポートやドライバを介して、演出制御装置（サブ制御手段）６０、遊技進行表示部１１、ベットライン表示部１３、クレジット数表示部１２、払出数表示部８、遊技状態表示部１４、装飾表示部３７、メダル払出部３、リール用モータ４Ｍ（４Ｍａ〜４Ｍｃ）、外部信号出力部３８、リール操作情報ランプなどに出力している。
【００６６】
このメダル払出部３は払出手段として機能し、リールの停止位置の検出結果に基づいて、入賞に対応する停止表示態様が有効ライン上に形成されているときに遊技制御装置５０から出力される賞球指令信号によって制御され、所定数の遊技媒体（メダル）を受皿２３に払い出す。
【００６７】
サブ制御装置としての演出制御装置６０は、制御用ＣＰＵおよびＲＡＭ、ＲＯＭ等を備えており、補助ゲームの演出に関わる情報表示や音出力等の制御を統括して行う。例えば、投入メダル検出センサ１５、１ベットスイッチ１０又はマックスベットスイッチ９の何れかからの検出信号により賭入力が検出されることに伴い、遊技制御装置５０から送信される賭入力情報を受信することに基づいて、補助表示装置５で演出表示される補助ゲームに関する制御処理や、音出力部２６で出力される補助ゲームに対応した音に関する制御処理等を行い、その制御処理に応じて表示制御信号を表示制御装置３５に送信し、音制御信号を音制御装置３６に送信する。
【００６８】
また、演出制御装置６０は、特定入賞が獲得され派手な演出が行われている特定遊技状態中に、一定時間ゲームが実行されなければ補助表示装置５の演出表示や音出力部２６からの出力を小さくしたり停止させたりする制御等も行う。
【００６９】
表示制御装置３５は、表示制御用ＣＰＵおよびＲＡＭ、情報表示データを記憶するＲＯＭ等で構成され、演出制御装置６０から送信された制御信号に基づいて、後述する補助ゲームを構成する演出情報（演出パターン）を補助表示装置５に送信して表示させる。
【００７０】
音制御装置２６は、音制御用ＣＰＵおよびＲＡＭ、効果音データを記憶するＲＯＭ、およびアンプ等で構成され、演出制御装置６０から送信された音制御信号に基づいて音出力部２６から遊技状態に対応した効果音や前記補助ゲームに応じた所定の演出音を出力させる。
【００７１】
また、遊技制御装置５０と演出制御装置６０との通信は遊技制御装置５０から演出制御装置６０への単方向にのみ制御信号が送信されるような通信形態となっていて、遊技制御装置５０への不正な信号が入力されるのを防止している。
【００７２】
外部信号出力部３８からは、稼働状況に関する各種情報（メダルの投入や払出しに関する信号や、ＢＢ状態或いはＲＢ状態であることを示す信号等）を外部（遊技店の管理装置等）に対して出力可能となっている。また、各入賞フラグの成立に関連する情報等を含むテスト用のデータ（検査用のデータ）も外部に出力可能となっている。
【００７３】
カードユニット３０は遊技制御装置５０に接続されており、カードユニット３０がカードに記憶された情報に関連して読み出した有価価値（金額データ、メダル数データ）から変換された遊技価値（メダル数）を遊技制御装置５０に送信する、また、遊技制御装置５０は、後述する再変換に伴いカードに関連して記憶される遊技価値（メダル数）をカードユニット３０に送信する。なお、カードユニット３０にカード判定手段を設け、カードがカード挿入部３０ａに挿入されて、正規なカードだと判定されたカード受付状態においてのみ、スタートレバー６、リール停止スイッチ７ａ〜７ｃ等が有効に機能するようにしてもよい。
【００７４】
遊技機の電源装置（図示省略）は、電源回路のほかに、バックアップ電源部と停電監視回路とを備えている。停電監視回路は、電源装置の所定の電圧降下を検出すると、遊技制御装置５０、演出制御装置６０等に対して停電検出信号とリセット信号とを順に出力する。遊技制御装置５０は、停電検出信号を受けると所定の停電処理を行い、リセット信号を受けるとＣＰＵの動作を停止する。バックアップ電源部は遊技制御装置５０のＲＡＭ５３等にバックアップ電源を供給して、遊技データ（遊技情報、遊技制御情報：変動表示ゲーム情報を含む）等に関する記憶内容を保持させる。
【００７５】
図３は、本実施形態の遊技機（パチスロ機）における遊技状態の状態遷移図である。
【００７６】
遊技状態は通常遊技状態と特別遊技状態とがあり、特別遊技状態には、ビッグボーナス（ＢＢ）状態、レギュラーボーナス（ＲＢ）状態、アシスト（ＡＴ）状態の３つの状態がある。すなわち、遊技状態は通常遊技状態、ＢＢ状態、ＲＢ状態、ＡＴ状態の４つに大別される。通常状態においては、遊技者による所定数（通常１〜３枚）の遊技媒体（本実施の形態ではメダルであるが、遊技球を用いてもよい）の投入操作、あるいはクレジットからの賭けボタン操作（ベット操作）に基づく賭数の入力後、スタートレバー６を操作することによってリールが回転して可変表示ゲームが開始すると共に、ゲーム毎に内部抽選が行われる。
【００７７】
遊技者がスタートレバー６を操作しても、直ちにリールが回転を開始しない場合があり、この時間を「ウェイトタイム」という。この「ウェイトタイム」は、連続して遊技がされた結果、遊技者が過剰に遊技価値を消費しないように、所定時間内の実行可能ゲーム数を制限するために設けられているものである。
【００７８】
そして、この遊技機には、ゲームの実行に関連して各種入賞に当選するか否かの抽選を予め行う機能（内部抽選機能）が備えられており、スタートレバー６の操作によって、内部抽選用の乱数に基づいて内部抽選が行われる。この内部抽選に当選した場合に入賞フラグが立てられ、所定の入賞役（入賞態様）の発生が許可される。すなわち、内部抽選に当選し、入賞フラグが立てられた場合に限り、所定の図柄が有効ライン上に停止して入賞態様を形成することを許可され、極力入賞を獲得できるようにリール制御が行われる。このように、内部抽選によって、ＢＢ入賞、ＲＢ入賞、小役入賞、リプレイ入賞、ＪＡＣ入賞、ハズレの何れかが決定される。
【００７９】
すなわち、可変表示ゲームでは、遊技者の停止操作によって狙った図柄が確実に停止するのではなく、遊技機の制御手段の制御処理で許可された図柄の組み合わせのみが遊技者の操作により停止可能に構成されており、遊技制御手段５０が、例えばスタートレバー操作をきっかけとするタイミングで乱数を抽出し、その乱数を判定した結果に基づいて何れかの入賞役（入賞フラグ）の発生を許可するか否かを決定する処理を行い、こうした決定に基づく図柄の組み合わせのみが遊技者の操作により停止可能となっている。
【００８０】
ＢＢ入賞とは、高確率で小役入賞を獲得しやすい小役ゲームと高確率でＪＡＣ入賞を獲得しやすいＪＡＣゲームとを所定の回数遊技できるビッグボーナス（ＢＢ）状態を発生させる入賞態様である。ＲＢ入賞とは、高確率でＪＡＣ入賞を獲得しやすいＪＡＣゲームを所定の回数遊技できるレギュラーボーナス（ＲＢ）状態を発生させる入賞態様である。小役入賞とは、比較的少量（例えば１０枚以下）のメダルが払い出されるのみの入賞態様である。リプレイ入賞とは、メダルをベットすることなく再度ゲームが可能となる入賞態様である。ＪＡＣ入賞とは、１枚のメダルをベットするだけで比較的多数（例えば１５枚）のメダルが払い出される入賞態様である。特に、ＢＢ入賞やＲＢ入賞は、遊技者に有利な特別遊技状態（ＢＢ状態、ＲＢ状態）を導出する特定入賞と称される。この特別遊技状態では、小役入賞に比較して大量（例えば、１００枚以上）の遊技媒体の獲得が期待できる。
【００８１】
そして、リールの回転（図柄の可変表示）は、遊技者が各リールに対応して各々備えられたリール停止ボタン７ａ〜７ｃを操作することにより又は一定時間後自動的に、各リールの回転を順次停止して、停止表示態様が確定する。そして、リールが停止した際に、前記賭数に応じて有効化された有効ライン上に形成された図柄の組合せ態様が、予め定められた所定の組合せ態様（入賞態様）となった場合に入賞が確定し、入賞種類に対応して利益（遊技媒体）が遊技者に付与される。
【００８２】
具体的には、通常状態での内部抽選の結果、ＢＢ入賞のフラグが成立すると、停止表示態様が所定の図柄組合せ態様（例えば「白７、白７、白７」）となることにより遊技状態はＢＢ状態となり、ビッグボーナスゲーム（小役ゲーム＋ＪＡＣゲーム）が開始される。ＢＢ状態でビッグボーナスゲームの終了条件が成立した後は通常状態に移行し、通常ゲームが再開される。
【００８３】
また、通常状態での内部抽選の結果、ＲＢ入賞のフラグが成立すると、停止表示態様が所定の図柄組合せ態様（例えば「白７、白７、ＢＡＲ」）となることにより遊技状態はＲＢ状態となり、レギュラーボーナスゲーム（ＪＡＣゲーム）が開始される。ＲＢ状態で所定回数のＪＡＣゲームが終了された後は通常状態に移行し、通常ゲームが再開される。
【００８４】
なお、本例ではＢＢ状態（あるいは、ＲＢ状態）においてＡＴ入賞の抽選が行われるようになっており、その抽選の結果ＡＴ入賞を獲得できればＢＢゲーム等が終了した後にＡＴ状態（小役等の入賞フラグの状態、リールの特定の停止順等が遊技者に報知される遊技状態）に移行し、ＡＴゲームが開始される。一方、ＢＢ状態等でＡＴ入賞の抽選が行われた結果ＡＴ入賞を獲得できなければ、ＢＢゲーム等が終了した後は通常遊技状態に移行して通常ゲームが再開される。
【００８５】
このＢＢ状態等における内部抽選で入賞することにより発生したＡＴ状態では、ＡＴゲーム中に音声発生部３１や発光部３２より音や光を用いた各種の演出がなされるとともに、アシストタイム報知部（図示省略）の「ＷＩＮ」が点灯状態となってＡＴ状態であることが報知され、遊技進行表示部１１にはＡＴゲームの残りゲーム回数が表示される。また、成立した入賞フラグの情報が、成立小役報知部（図示省略）によって遊技者に報知され、また小役に対する図柄が停止できる特定の停止順も報知され、小役の取りこぼすことなく遊技が可能となる。
【００８６】
また、ＡＴ状態での内部抽選の結果がＢＢ入賞となりその入賞フラグが成立すると、停止態様が所定のシンボルの組合せとなることにより、ＡＴ状態が解除されるとともに遊技状態はＢＢ状態となり、ＢＢゲームが開始される。
【００８７】
また、ＡＴ状態での内部抽選の結果がＲＢ入賞となりその入賞フラグが成立すると、停止態様が所定のシンボルの組合せとなることにより、ＡＴ状態が一時的に解除されるとともに遊技状態はＲＢ状態となり、ＲＢゲームが開始される。
【００８８】
また、ＡＴ状態で所定回数のＡＴゲームが終了した後は、通常遊技状態に移行して通常ゲームが再開される。
【００８９】
このＢＢ状態における遊技状態をさらに分類すると、小役ゲーム状態と、ＪＡＣゲーム状態とがある。
【００９０】
ＢＢ状態になると、まず、通常ゲーム時に比べて高い確率で小役入賞を獲得できる小役ゲーム状態となる。この小役ゲーム状態における遊技は、通常遊技状態と同様に進行する。そして、この小役ゲーム状態において、所定のシンボルの組合せ（例えば、「ＲＥＰ，ＲＥＰ，ＲＥＰ」）が有効ライン上に停止表示された場合にＪＡＣイン入賞となり、このＪＡＣイン入賞により例えば１５枚のメダルが払出されるとともに、小役ゲーム状態が一時中断され、高確率でＪＡＣ入賞を獲得可能となるＪＡＣゲーム状態となる。
【００９１】
このＪＡＣゲーム状態では、メダルのベット数は１枚とされ、この１ベットに対応する有効ライン（例えば、中段横ライン）上に所定のシンボルの組合せ（例えば、「ＲＥＰ，ＲＥＰ，ＲＥＰ」）が停止表示された場合に、ＪＡＣ入賞となり、例えば１５枚のメダルが払出される。このＪＡＣゲームは最大１２回まで実行可能となっており、１２回目のＪＡＣゲームが終了すると小役ゲームが再開される。ただし、ＪＡＣゲーム数が１２回に到達する前にＪＡＣ入賞が８回発生した場合には、８回目のＪＡＣ入賞をもってＪＡＣゲーム状態は終了し、小役ゲーム状態が再開される。
【００９２】
そして、本実施の形態では、ＢＢ状態中のメダルの純増枚数（メダルの払出し数からベット数を差し引いたもの）が所定の枚数（例えば、４３５枚）以上となった場合には、小役ゲームの回数等に無関係にＢＢ状態は強制的に終了する。このようにすると、メダルの最大払出し数が１５枚である場合、ＢＢ状態中のメダルの純増枚数が４５０（４３５＋１５）枚以下に必ず抑えられるので、遊技機の射倖性を適度に抑制できる。なお、ＢＢ状態の終了条件は、このような態様に限定されず、例えば従来のように、小役ゲーム（ＪＡＣイン入賞したゲームは含み、ＪＡＣ入賞したゲームは含まない）が３０回消化された時点で終了する態様でもよい。また、メダルの純増枚数に基づいてＢＢ状態を強制的に終了する場合の終了タイミングは、入賞に対するメダルの払い出しを完了した後でもよいし、また、メダルの排出途中であっても４３５枚以上となった時点で、メダルの払い出し自体を強制終了するとともに、ＢＢ状態を強制終了するようにしてもよい。
【００９３】
ただしこの場合、メダルの純増枚数や小役ゲーム数が所定数に到達するまでに、所定回数（通常は３回）のＪＡＣイン入賞が発生した場合には、そのＪＡＣイン入賞によるＪＡＣゲームの終了をもってＢＢ状態は終了となる。したがって遊技者にとっては、ＪＡＣイン入賞の発生をできるだけぎりぎりまで遅らせることが、遊技機の性能の範囲内で最大限近くの多量の利益（メダル）を獲得するための必要条件となり、逆にＪＡＣイン入賞を早く消化してしまうと、ＢＢ状態にもかかわらず比較的少量の利益しか獲得できないことになる。
【００９４】
なお、ＲＢ状態については、ＲＢ入賞が確定してＲＢ状態となると、同時にＪＡＣインとなり、高確率でＪＡＣ入賞を獲得可能となるＪＡＣゲーム（即ち、ＲＢゲーム）が開始される。そして、１２回目のＪＡＣゲームが終了するか、ＪＡＣゲーム数が１２回に到達する前にＪＡＣ入賞が８回発生した場合には、ＲＢ状態は終了する。
【００９５】
内部抽選によりＲＢ入賞やＢＢ入賞等の特定入賞に当選した場合には、そのゲームで入賞態様が形成されなくても、可変表示ゲームを実行した結果、ハズレあるいは小役の図柄停止状態となるときに通常では出現しない予め定められた組合せ態様（リーチ目）を形成させる。このリーチ目の停止態様が出現することによって、遊技者にビッグボーナス等の特定入賞のフラグが成立（特定入賞に当選）したことを報知し、遊技者は以降の可変表示ゲームでビッグボーナス等の図柄を真剣に揃えるようにする。
【００９６】
また、小役の入賞フラグが成立したときに、乱数を用いて特定の停止順を選択しておき、この特定の停止順で遊技者がリールの停止操作をした場合にのみ、この小役に対応する図柄が停止し、特定の停止順以外で遊技者が停止操作をした場合には小役が成立せずに、この小役の入賞フラグは消滅するようになっている。
【００９７】
一方、内部抽選に当選しなかった場合（入賞フラグ不成立）は、遊技者がいかなるタイミングでリールの停止操作を行っても、所定の図柄が有効ライン上に停止して入賞態様を形成しないようにリール制御が行われる。したがって、ビッグボーナス等のフラグが成立していなければ、遊技者がビッグボーナス等の図柄を狙って停止させようとしても、ビッグボーナス等の図柄で停止することはない。
【００９８】
すなわち、いつでもリール停止操作のタイミングが合えば入賞態様を形成することができるというものではなく、前記内部抽選に当選した上でリール停止操作のタイミングが合ったときに限り所定の入賞態様が形成されるようになっている。このように内部抽選結果に基づいてリールの停止制御を行うことにより、内部抽選の結果通りに遊技結果を制御することがある程度可能となる。
【００９９】
また、主ゲームを構成する３つのリール以外に別個に設けられた補助表示装置５によって主ゲームに関わる補助ゲームを演出するようにした遊技機も提案されている。例えば、補助表示装置５でさまざまな演出表示による補助ゲームを行う。また、主ゲームを構成する３つのリール以外に、入賞種類を示唆する図柄の配置された第４のリールを設け、第４のリールを変動表示させるようにした補助ゲームを行うものも提案されている。これらの補助ゲームによって、リールで行われる主ゲームでは表現できない興趣性の高い演出ゲームを行うことができる。また、リールを停止表示させたときに特定の入賞態様（特定入賞となる図柄組合せ態様）を形成できなくても、同時に行われていた補助ゲームで特定の結果を導出することで、特定入賞のフラグが成立したことを遊技者に報知することができる。また、遊技者がリールの停止表示態様として形成されるリーチ目を把握していなくても、補助ゲームの結果により特定入賞のフラグの成立を知ることができるので、遊技者が遊技に対して不公平感を感じることが少なくなる。
【０１００】
さらに、補助ゲームにおいてより興趣性の高い演出を行わせるために、複数の途中態様を用意して演出態様を段階的に発展させ、最終的に内部抽選の結果に応じた演出態様を導出するようにしてもよい。
【０１０１】
この遊技の進行を時間的順序に従って説明すると以下のようになる。
【０１０２】
この遊技制御処理では、最初にゲーム開始条件が成立しているかを判定する。
【０１０３】
具体的には、まず、メダルがベットされた状態であるか否かを判定し、前回のゲームの結果としてリプレイゲームの権利が発生している場合（前回のゲームでベットされたメダルの持ち越しが有る場合）、メダル投入口１５より少なくとも１枚以上のメダルが投入された場合、又は、ＲＡＭ５３に少なくとも１枚以上のメダルがクレジットとして記憶されている状態で１ベットボタン１０若しくはマックスベットボタン９が操作された場合の何れかに該当するときに、メダルがベットされた状態であると判定する。
【０１０４】
例えば、メダル投入口１５よりメダルが投入されると、投入されたメダルがメダル検出センサ１５ａによって検出され、該検出信号が遊技制御装置５０に入力される。そして、その検出信号に基づいて、メダルの賭数が記憶されるとともに、その賭数に対応する有効ラインがベットライン表示部１３により表示される。但し、賭数には、所定の上限値（例えば３枚）が設定されており、例えば、クレジット選択ボタン１８により「非クレジット状態」が選択されている状態において、賭数の上限値を超えるメダルがメダル投入口１５より投入された場合には、超えた分のメダルは賭数に加算されずに受皿２３へと返却される。一方、クレジット選択ボタン１８により「クレジット状態」が選択されている状態において、賭数の上限値を超えるメダルがメダル投入口１５より投入された場合には、超えた分のメダルがクレジット数に加算されるとともに、その加算結果がクレジット数としてクレジット数表示部１２に表示される。
【０１０５】
そしてメダルがベットされた状態であると判定された場合にはスタートスイッチ監視処理へ進む。一方、メダルがベットされた状態でないと判定された場合にはメダルがベットされるまで、この処理が繰り返され、待機する。
【０１０６】
次に、スタートレバースイッチ６ａからの信号に基づきスタートレバー６が操作されたか否かを判定する。スタートレバー６が操作されたと判定した場合には、内部抽選用の乱数を抽出する。一方、スタートレバー６の操作が検出されない場合にはスタートレバー６が操作されるまでこの処理が繰り返され、待機する。
【０１０７】
そして、スタートレバー６の操作に基づいて内部抽選用の乱数を抽出する。なお、スタートレバー６の操作時以外に、ベット時や、リール４ａ〜４ｃの回転開始時等のタイミングで内部抽選用の乱数を抽出するように構成してもよい。
【０１０８】
さらに、前回ゲームにおける各リール４ａ〜４ｃの回転開始から一定時間（例えば、４．１秒）経過しているか否かの判定を行い、一定時間経過していると判定した場合には抽選処理以後の処理に進み、一定時間経過してないと判定した場合には遊技開始までの待ち時間を消化した後（すなわち、前回ゲームにおける各リール４ａ〜４ｃの回転開始から一定時間経過した後）、以後の処理に進む。この遊技開始までの待ち時間消化中は、遊技状態表示部１４の「ＷＡＩＴ」表示が点灯する。なお、この待ち時間を消化する待機処理は、スタートスイッチの操作からリール停止までの何れのタイミングで行ってもよい。
【０１０９】
そして、該抽出した乱数と予めＲＯＭ５２に記憶されている判定値とを比較して内部抽選を行う。なお、この判定値は賭数や遊技台の設定値によって変化する。この内部抽選結果に基づいて各種入賞（例えば、小役、ＢＢ、ＲＢ、リプレイなど）に当選したか否かが決定され、当選した場合には当選した入賞に対応する入賞フラグが設定される。
【０１１０】
そして、リール駆動用モータ４Ｍａ、４Ｍｂ、４Ｍｃに制御信号を送って各リール４ａ〜４ｃの回転を開始させる。具体的には、遊技制御装置５０は、スタートレバースイッチ６ａからの検出信号の入力に基づき、リール駆動用モータ４Ｍａ、４Ｍｂ、４Ｍｃに対してリール４ａ〜４ｃの回転開始を指示する制御信号を送信して、各リール４ａ〜４ｃを一斉に回転を開始させる。そして、スタートレバー６が操作されてから所定時間経過すると、各リール停止ボタン７ａ〜７ｃが操作可能な状態になるように制御する。
【０１１１】
そして、遊技者がリール停止ボタン７ａ〜７ｃを操作するとリール４ａ〜４ｃを停止させる。このリール停止処理では、遊技者が各リール停止ボタン７ａ〜７ｃを操作したタイミングと各入賞フラグの成立状態とに基づいて、リール４ａ〜４ｃの停止位置を決定し、この決定に基づいてリール駆動用モータ４Ｍａ、４Ｍｂ、４Ｍｃに対して制御信号を出力する。例えば、何れかの入賞フラグが成立している状態においては、その入賞に対応する図柄が有効ライン上に停止表示されるように、リールの引き込み制御が行われる。すなわち、遊技者がリール停止ボタン７ａ〜７ｃを操作したときに有効ライン上に本来停止表示されるべき図柄、或いはそれに続く数コマ分（例えば４コマ分）の図柄の中にフラグが成立した入賞に対応する図柄が含まれる場合には、その入賞に対応する図柄が有効ライン上に優先的に停止表示されるように、各リール４ａ〜４ｃの停止制御が行われる。
【０１１２】
ただし、スタートレバー６が操作されてから一定時間（例えば、３０秒以上）経過しても遊技者によって各リール停止ボタン７ａ〜７ｃの停止操作が行われない場合には、遊技制御装置５０は各リールのゲーム開始前の状態と成立した入賞フラグとに基づいて決定したリールの停止位置に従ってリール駆動用モータ４Ｍａ、４Ｍｂ、４Ｍｃに対して制御信号を出力し、各リール４ａ〜４ｃの回転を自動的に停止させる。そして、リール位置検出センサ３１ａ〜３１ｃによって各リールの停止位置を検出する。
【０１１３】
そして、リールの停止位置に関する情報に基づいて入賞を判定する。この入賞判定処理では、リール位置検出センサ３１ａ〜３１ｃが検出した各リールの停止位置の検出結果に基づいて、何れかの入賞（例えば、小役、ＢＢ、ＲＢ、リプレイなど）に対応する停止表示態様が有効ライン上に形成されているか否かに基づいて入賞が獲得されたかを判定する。
【０１１４】
この入賞処理において入賞が獲得されたと判定された場合には、所定枚数のメダルを払い出す。この払出処理では、入賞判定処理においてリプレイゲーム以外の入賞が確定していると判定された場合に、メダル払出部３に制御信号を送って、確定した入賞態様に応じた数のメダルを払い出す処理又は入賞態様に応じたメダル数をクレジット数の記憶に加算する処理を行う。そして、小役やリプレイゲームの入賞フラグをクリアする処理等を行う。また、この払出処理では、入賞判定処理においてリプレイゲームの発生が決定された場合には今回のゲームで記憶された賭数を次回ゲームに持ち越す処理を行い、リプレイゲームの発生が決定されなかった場合には賭数の記憶をクリアする処理を行う。この払出処理が終了すると、一連の遊技制御処理が終了されて１ゲームが終了する。
【０１１５】
図４は、本実施形態の遊技機（パチスロ機）におけるベット処理のフローチャートである。このベット処理は遊技制御装置５０において実行され、ベット処理によって遊技が可能な状態となる。
【０１１６】
遊技制御装置５０は、投入メダル検出センサ１５ａからの出力によってメダルが投入されたかを監視する。メダルの投入を検出すると（Ｓ１０１で”ＹＥＳ”）、ベットがあったものと判断して、メダル投入数をベット数として記憶してベット状態にする（Ｓ１０２）。そして、最大ベット数に至っているかを判断し（Ｓ１０３）、最大ベット数（本実施の形態では３枚）であれば、このベット処理を終了する。一方、最大ベット数でなければ、ステップＳ１０１に戻り、さらにメダルの投入があるかを監視する。
【０１１７】
一方、メダルの投入が検出されなければ（Ｓ１０１で”ＮＯ”）、ベット手段（１ベットボタン１０、マックスベットボタン９）が操作されたかを検出して、クレジットからのベットの要求があるかを監視する（Ｓ１０４）。そして、ベット操作が検出されなければ、ステップＳ１０１に戻り、さらにメダルの投入があるかを監視する。
【０１１８】
ベット操作が検出されると（Ｓ１０４で”ＹＥＳ”）、クレジット手段に対応する記憶領域のデータを読み込み、クレジット手段によってクレジットが記憶されているかを判断する（Ｓ１０５）。そして、クレジットが記憶されていれば、記憶されているクレジット数をベット数に振り替えて、クレジット数を減算更新する（Ｓ１０６）。
【０１１９】
一方、クレジットが記憶されていなければ（Ｓ１０５で”ＮＯ”）、貸しクレジット手段に対応する記憶領域のデータを読み込み、貸しクレジット手段によって貸しクレジットが記憶されているかを判断する（Ｓ１０７）。そして、貸しクレジットが記憶されていれば、記憶されている貸しクレジット数をベット数に振り替えて、貸しクレジット数を減算更新する（Ｓ１０８）。一方、貸しクレジットが記憶されていなければ（Ｓ１０７で”ＮＯ”）、ステップＳ１０１に戻り、さらにメダルの投入があるかを監視する。
【０１２０】
なお、図４に示すベット処理は、前述した最大ベットに至ったとき（Ｓ１０３で”ＹＥＳ”）の他、スタートレバーの操作に基づくスタートレバースイッチ６からの信号が検出されたとき（ゲームの開始）によって終了する。
【０１２１】
このように図４に示す実施の形態では、遊技者に対する図柄の表示状態が変化可能な複数のリール４ａ〜４ｃを有する可変表示装置とを備え、リール４ａ〜４ｃの停止図柄が導出表示されることにより可変表示ゲームが終了し、リール４ａ〜４ｃの停止図柄が所定の表示態様となったら所定の入賞を発生させる遊技制御装置を備えた遊技装置において、リール４ａ〜４ｃの停止図柄が所定の表示態様となったことに関連して所定の入賞を発生させ、遊技で使用可能なメダルを賞として付与可能な遊技制御装置（遊技価値付与手段）と、カードを受け付けて該カードによって特定される金額データをメダル数に変換するカードユニット３０（有価価値変換手段）を備え、メダルのクレジット数を所定の上限まで記憶可能なクレジット手段（第１のクレジット手段）と、遊技制御装置５０（有価価値変換手段）が変換した遊技価値を所定の上限まで記憶可能な貸しクレジット手段（第２のクレジット手段）とを遊技制御装置によって構成したので、変換された遊技価値がクレジット化されるので、遊技媒体（メダル等）を遊技機に投入する必要がなくなり、遊技機の操作性が向上し、遊技における煩雑さを解消することができる。
【０１２２】
また、貸しクレジット手段のクレジット数をクレジット手段のクレジット数に変換する記憶領域変換手段を遊技制御装置５０によって構成したので、貸しクレジット手段からクレジット手段への遊技価値の変換を、容易な制御で変換することができる。
【０１２３】
また、貸しクレジット手段のクレジット数をカードによって特定される金額データに再変換する再変換手段を備えたので、遊技に使用されなかったクレジット数を再びカードに記憶することができるので、メダルを無駄にすることがない。
【０１２４】
また、遊技制御装置５０（再変換手段）は、所定単位毎に、クレジット数を金額データに再変換するので、カードにに半端な金額データが記録されることがなく、カードの記憶構造を簡素化できるとともに、カードに記憶された金額データの残数を容易に確認することができる。
【０１２５】
また、クレジット手段又は貸しクレジット手段に記憶されたクレジット数を可変表示ゲームを行うためにベットするベットボタン９、１０を備え、ベットボタン９、１０の操作によって、クレジット手段のクレジット数がベットに必要な数に満たないときは、不足するメダル数を貸しクレジット手段のクレジット数からベットするので、カードに記憶される金額データに再変換可能な貸しクレジット手段のクレジット数に優先して、カードに記憶される金額データに再変換不可能なのクレジット手段のクレジット数からベットすることから、保有する有価価値を無駄に使用することがない。
【０１２６】
また、クレジット手段のクレジット数を表示するクレジット数表示手段と、貸しクレジット手段のクレジット数を表示する貸しクレジット数表示手段とを別に備えたので、クレジット数を、金額データにに再変換不可能なクレジット数と金額データに再変換可能なクレジット数とを別に把握することができる。
【０１２７】
また、クレジット手段のクレジット数を表示するクレジット数表示手段と、貸しクレジット手段のクレジット数に相当する残金額データを表示する貸しクレジット数表示手段とを別に備えたので、金額データにに再変換可能なクレジット数をに相当する金額を表示して、その価値を容易に把握することができる。
【０１２８】
図５は、本実施形態の遊技機（パチスロ機）におけるカード受付処理のフローチャートである。このカード受付処理は、カードユニットのカード挿入口３０ａにカードが挿入されると、遊技制御装置５０及びカードユニット３０において実行される。
【０１２９】
カードが挿入されると、カードユニット３０内のカードリーダライタがカードの挿入を検出し、カードに記憶された内容が読み込まれる。そして、カードが正規なものかを判断し、カードが正規なものと判断されるとカード受付状態となり（Ｓ１１１で”ＹＥＳ”）、カードによって特定される有価価値（金額データ）を遊技に使用可能な遊技価値（メダル数）に変換する有価価値変換処理（詳細は図６に示す）を実行する（Ｓ１１２）。
【０１３０】
一方、カード受付状態でなければ（Ｓ１１１で”ＮＯ”）、カード返却スイッチ３０ｂの操作を検出し、カード排出要求があるかを監視する（Ｓ１１３）。カード排出要求がないと（Ｓ１１３で”ＮＯ”）、このカード受付処理を終了する。
【０１３１】
一方、カード排出要求があれば、貸しクレジットとして記憶されているメダル数（遊技価値）を、カードによって特定される（例えば、カードに記憶される）金額データ（有価価値）に変換する有価価値再変換処理（詳細は図７に示す）を行う（Ｓ１１４）。そして、カードリーダライタのカード搬送機構を動作させ、カードを排出する（Ｓ１１５）。
【０１３２】
図６は、本実施形態の遊技機（パチスロ機）における有価価値変換処理フローチャートである。この有価価値変換処理は、カードユニット３０にカードが装着され、カードが受け付けられると実行される。
【０１３３】
前述したカード受付処理によって、カードが正規なものかが判断され、カード受付状態となると、カードに記憶された（又は、カードに記憶されたカードＩＤ番号に関連して外部装置に記憶された）金額データ（有価価値）を読み出して、該カードに関連する金額データを取得する（Ｓ１２１）。そして、取得した金額データを、相当する価値を有するメダル数データ（遊技価値）に変換する（Ｓ１２２）。
【０１３４】
そして、メダル数に変換された金額を、カード残高から減算して、カードの金額データを更新する（Ｓ１２３）。すなわち、カード残高の全部をメダルに変換すると、カードに記憶される金額はゼロに減算される。
【０１３５】
このとき、カード残高からメダルに変換可能な金額（メダル数）に上限を設けてもよい。すなわち、貸しクレジット手段の記憶に上限値を設け、その上限値を超えない範囲でカード残高（有価価値）をメダル数（遊技価値）に変換する。
【０１３６】
図７は、本実施形態の遊技機（パチスロ機）における有価価値再変換処理のフローチャートである。この有価価値再変換処理は、カードユニット３０からカードを排出するときに実行される。
【０１３７】
カード返却スイッチ３０ｂの操作が検出されると、貸しクレジット手段によって記憶されているメダル数（遊技価値）のうち、カードに記憶させるために金額データ（有価価値）に再変換されるメダル数を特定する（Ｓ１３１）。すなわち、カードへの金額データの記憶は所定数単位（本実施の形態では１０００円単位）で行われることから、貸しクレジット数のうち金額データに再変換できる単位の整数倍の金額データを特定し、金額データに再変換するメダル数と、金額データに再変換しない余りとなるメダル数（端数）とを分ける。
【０１３８】
そして、端数を除いた金額データに再変換可能なメダル数を金額データに変換する（Ｓ１３２）。また、端数分のメダル数（遊技価値）を貸しクレジットからクレジットに変換して、クレジット数に加算する（Ｓ１３３）。また、変換された金額データ（遊技価値）をカードに書き込む（Ｓ１３４）。
【０１３９】
このとき、クレジット手段の記憶（第１クレジット手段に記憶された遊技価値）から、カードの金額データ（有価価値記憶媒体によって特定される有価価値）への変換がされることはなく、貸しクレジット手段の記憶（第２クレジット手段に記憶された遊技価値）から、カードの金額データ（有価価値記憶媒体によって特定される有価価値）へのみ変換がされる。このように、第１クレジット手段の遊技価値から有価価値への変換を認めず、第２クレジット手段の遊技価値から有価価値へ変換のみを認めるので、不正に得たクレジット（遊技価値）を有価価値に変換されることがなく、安全性が悪化することがない。
【０１４０】
なお、前述したように、第１クレジット手段を遊技機（遊技制御装置５０）に、第２クレジット手段をカードユニット３０（有価価値変換手段）に備えるようにすると、上記不正に得たクレジット（遊技価値）の有価価値への変換を防止する観点から、さらに安全性に優れる。
【０１４１】
このように図５〜図７に示す実施の形態では、遊技制御装置５０（有価価値変換手段）は、カードが受け付けられると、自動的に、該カードによって特定される金額データを所定の変換可能な範囲でクレジット数に変換するので、遊技における煩雑さを解消することができる。また、所定の変換可能な範囲で金額データをクレジット数に変換するので、過剰に金額データがクレジット数に変換されてしまうことがない。また、カードが挿入され、受け付けられると、遊技者が貸出スイッチ等の操作をすることなく、カード残高が遊技価値に変換され便利である。
【０１４２】
また、遊技制御装置５０（記憶領域変換手段）は、貸しクレジット手段のクレジット数を、所定単位数で、金額データに再変換したときに、再変換時に余りとなるクレジット数をクレジット手段に記憶される遊技価値に変換するので、カードに半端な金額データが記録されることがないとともに、端数を無駄にすることがない。
【０１４３】
また、遊技制御装置５０（再変換手段）は、カードの受付状態が終了すると、貸しクレジット手段のクレジット数の再変換を行うので、カードの排出操作によって自動的にクレジット数を金額データに変換して、カードに書き込むことができ、遊技における煩雑さを解消することができる。
【０１４４】
図８は、図５に示した遊技価値変換、遊技価値再変換を説明する図である。
【０１４５】
カードには一万円の金額データが有価価値として記憶されている。本実施の形態においてはメダル１枚が２０円に相当する価値を有する。そして、カードに記憶された金額データ（有価価値）と貸しクレジットとして記憶されるメダル数（遊技価値）との間で有価価値変換、有価価値再変換によって互いの価値が変換される。
【０１４６】
すなわち、金額データからメダル数への有価価値変換では、一万円が等しい価値の５００枚のメダルに変換される。一方、メダル数から金額データへの有価価値再変換では、５００枚のメダルが等しい価値の一万円の金額データに変換される。
【０１４７】
なお、図８では、カードに記憶された金額データを有価価値として説明したが、メダル数データ、球数データの情報であってもよい。また、前述したように、カードに記憶された符号（カードのＩＤ番号）に対応して、これらの符号によって特定可能なように管理装置等の外部装置に記憶されている金額データ、メダル数データ、球数データの情報であってもよい。
【０１４８】
次に、貸しクレジットと、クレジットとの関係について説明する。図９は、本実施形態の遊技機（パチスロ機）におけるクレジット数から貸しクレジット数へのクレジット数の移行の態様を示す説明図である。
【０１４９】
カードに記憶された金額データ（有価価値）は、遊技に使用可能なメダル数（遊技価値）に変換される。そして、遊技者による特定の操作に基づいて、貸しクレジット手段からクレジット手段に所定数量を単位としてクレジット数が変換され、貸しクレジットからクレジットにクレジット数が移行する。本実施の形態の遊技機では５０枚毎にクレジット数が移行して、貸しクレジット数は所定枚数（５０枚）単位で減少する。よって、貸しクレジット手段には５００枚のメダルが記憶されており、クレジット手段に記憶されているメダル数がゼロである場合に、所定数量のクレジット数の移行がされると、貸しクレジット手段から５０枚が減数されて、貸しクレジット手段の記憶は４５０枚となり、クレジット手段が５０枚増加して、クレジット手段の記憶は５０枚となる。この貸しクレジット数からクレジット数へのクレジット数の移行は、遊技者が特定の操作をすることによって行われる。
【０１５０】
すなわち、本実施の形態のベットボタンを通常とは異なる操作をすることによって、所定単位毎のクレジット数の移行が行われるように構成されている。具体的には図１０に示すように、ベットボタンの操作が監視される。通常操作ではベットボタンの操作の立ち上がりを検出してベット処理を行う。一方、ベットボタンが所定時間より長く（例えば、２秒以上）操作されたら（特別操作１）、貸しクレジットからクレジットへ所定数量のメダル数（クレジット数）を移行する。又は、ベットボタンが所定時間内に２回操作されたら（特別操作２）、貸しクレジットからクレジットへ所定数量のメダル数（クレジット数）を移行するように構成することもできる。
【０１５１】
なお、図９に示す実施の形態では、貸しクレジット手段のクレジット数（変換されたメダル数）を、クレジット手段のクレジット数（遊技に使用可能なメダル数）に変換している。すなわち、貸しクレジット数を記憶する記憶領域から、クレジット数を記憶する記憶領域に記憶内容を移動することによって、両クレジット手段間でクレジット数（遊技価値）を移動させている。
【０１５２】
図１１は、クレジット数から貸しクレジット数へのクレジット数の移行の別な態様を示す説明図である。図１１に示すクレジット数の変化の態様は、図９に示したクレジット数の変化の態様と異なり、貸しクレジット手段からクレジット手段に振り替えることなく、貸しクレジット手段から直接ベットに使用するものである。
【０１５３】
貸しクレジット手段には５００枚のメダル（遊技価値）が記憶されており、クレジット手段には記憶されているメダル数が４である場合に、３枚のメダルがベットされゲームが行われる。このとき、クレジット手段の記憶数が該ゲームに使用されるメダル枚数以上なので、クレジット手段に記憶されたメダルからベットがされる。すなわち、クレジット手段に記憶されたメダル数が変動表示ゲームに使用されるメダル数に足りるときは、メダル数がクレジット手段から減数され、貸しクレジット手段からは減数されない。よって、クレジット手段の記憶は１枚に減数し、貸しクレジット手段の記憶は５００枚のままである。
【０１５４】
さらに、この状態で、３枚のメダルがベットされゲームが行われる。このとき、クレジット手段の記憶数が該ゲームに使用されるメダル枚数に足りないので、クレジット手段に記憶されたメダルがベットに使用された後、不足分が貸しクレジット手段からベットに使用される。すなわち、クレジット手段に記憶されたメダル数が変動表示ゲームに使用されるメダル数に足りないときは、クレジット手段に記憶されたクレジット数が使用された後、貸しクレジット手段からクレジット数が使用される。このとき、貸しクレジットから新たにベットに使用するので、特別の操作が必要となる。この操作によって所定枚数までの貸しクレジット数からの減数（ベットによる使用）が許可される。この特別の操作は、図１０において前述したように、ベットボタンの長押し又はベットボタンの２回押し等、通常のベットボタンの操作と区別できる操作態様で構成される。
【０１５５】
さらに、この後、３枚のメダルがベットされゲームが行われる。このとき、クレジット手段の記憶数が該ゲームに使用されるメダル枚数に足りないので、クレジット手段に記憶されたメダルがベットに使用された後、不足分が貸しクレジット手段からベットに使用される。すなわち、クレジット手段の記憶はゼロのときは、貸しクレジット手段からクレジット数が使用される。なお、前回のゲームで、貸しクレジットから新たにベットに使用するための特別の操作をしており、前回の特別の操作から所定枚数の貸しクレジット数が減数していないので、新たに特別の操作をすることなく貸しクレジットの記憶をベットに使用することができる。
【０１５６】
すなわち、貸しクレジットから遊技価値をベットに使用するための特別の操作は、貸しクレジット数の所定単位毎に必要となる。具体的には、貸しクレジット数が５００枚以下に変更される際に特別の操作が必要となり、この操作によって貸しクレジット数が４５０枚になるまでの貸しクレジットからの減数（ベットによる使用）が許可される。そして、貸しクレジット数が４５０枚以下に変更される際に、次の特別の操作が必要となり、貸しクレジット数が４００枚になるまでの貸しクレジットからの減数（ベットによる使用）が許可される。
【０１５７】
このように図１１に示す実施の形態では、クレジット手段のクレジット数がベットに必要な数に満たなくて、不足するメダル数を貸しクレジット手段のクレジット数からベットする場合には、通常とは異なる態様でベットの入力を監視するので、金額データに再変換可能な貸しクレジット手段のクレジット数からベットする際に、遊技者の意思を確認することができる。
【０１５８】
また、貸しクレジット手段のクレジット数からベットすると、貸しクレジット手段のクレジット数を所定単位毎に金額データに再変換するときに余りを生じる場合には、通常とは異なる態様でベットの入力を監視するので、金額データに再変換可能な貸しクレジット手段のクレジット数からベットする際に、遊技者に意思を確認することができる。
【０１５９】
図１２は、本実施形態の遊技機（パチスロ機）における精算処理のフローチャートである。この精算処理は、クレジット状態において、クレジット選択ボタン１８が操作操作されると実行され、非クレジット状態に移行し、現在のクレジット数がメダル（遊技媒体）に変換される。
【０１６０】
精算処理では、まず、カードがカードユニットに装着されているかによって、カード受付中であるかを判定する（Ｓ１４１）。カード受付中でなければ、クレジット手段に記憶されているクレジット数（遊技価値）のみを精算すればよいので、ステップＳ１４４に移行し、クレジット手段に記憶されている遊技価値をメダル（遊技媒体）として受皿２３に排出する。
【０１６１】
一方、カードがカードユニットに装着されていると、カード受付中であると判定し（Ｓ１４１で”ＹＥＳ”）、貸しクレジット手段の記憶とクレジット手段の記憶とを精算する必要があるので、図７に示す有価価値再変換処理をする（Ｓ１４２）。すなわち、貸しクレジット手段に記憶されているメダル数のうち、カードに記憶させるために金額データ（有価価値）に再変換されるメダル数として、金額データに再変換できる単位の整数倍のメダル数を特定して、金額データに再変換するメダル数と、金額データに再変換できないメダル数（端数）とを分ける。そして、端数を除いたメダル数を金額データに変換して、変換された金額データ（有価価値）をカードに書き込む。また、端数分のメダル数（遊技価値）を貸しクレジットからクレジットに変換して、クレジット数に加算する。このとき、クレジット数の上限を超えた分は、メダル（遊技媒体）として受皿２３に払い出される。
【０１６２】
そして、カードリーダライタのカード搬送機構を動作させ、カードを排出して（Ｓ１４３）、クレジット手段に記憶されている遊技価値をメダル（遊技媒体）として受皿２３に払い出す（Ｓ１４４）。
【０１６３】
図１３は、図１２に示した精算処理における貸しクレジット数、クレジット数の変化を説明する図である。
【０１６４】
カードに記憶された金額データ（有価価値）から変換された遊技価値（２７５枚）は、カードの記憶に戻される有価価値と、メダル（遊技媒体）として払い出される遊技価値とに区分される。すなわち、遊技価値（クレジットされたメダル）からカードに記憶される金額データ（有価価値）への再変換は、所定単位数（１０００円＝５０枚）でおこなわれるところ、２７５枚の貸しクレジットに対して２５０枚のメダルがカードに記憶される５０００円に再変換される。そして、カードに記憶される５０００円を減じた後に端数となった２５枚はクレジット手段に記憶内容が移行し、この２５枚の記憶はメダルとして受皿２３に払い出される。
【０１６５】
このように図１２、図１３に示す実施の形態では、端数のクレジット数をメダルとして払い出すメダル払出部３を備えたので、カードに半端な金額データが記録されることがないとともに、端数をメダルとして得られることから、該端数を無駄にすることがない。
【０１６６】
また、貸しクレジット手段のクレジット数を再変換手段によって金額データに再変換しカードの受付状態を終了し、クレジット手段のクレジット数をメダルとして払い出す精算手段（カードユニット３０、遊技制御装置５０，メダル払出部３）を備えたので、クレジット選択スイッチ１８の操作によって自動的にクレジット数を金額データに変換してカードに書き込むことができ、遊技における煩雑さを解消することができる。
【０１６７】
以上説明した実施の形態ではスロットマシン（いわゆるパチスロ）について説明したが、遊技価値（メダル、球等）をクレジットとして記憶可能であって、カードから読み取った情報によって特定される価値（例えば、プリペイドカードに記憶されている金額データ、会員カードに記憶されているＩＤ番号によって管理装置に記憶されているメダルデータ等）を遊技で使用される遊技価値へ変換可能な遊技機（例えば、球スロ等）であれば、遊技機の種類は問わない。
【０１６８】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【図面の簡単な説明】
【図１】  本発明の実施の形態の遊技機の構成を示す正面図である。
【図２】  同じく制御系の一部を示すブロック図である。
【図３】  同じく遊技状態の状態遷移図である。
【図４】  同じくベット処理のフローチャートである。
【図５】  同じくカード受付処理のフローチャートである。
【図６】  同じく有価価値変換処理フローチャートである。
【図７】  同じく有価価値再変換処理のフローチャートである。
【図８】  同じく遊技価値変換、遊技価値再変換を説明図である。
【図９】  同じくクレジット数の移行の態様の説明図である。
【図１０】  同じくベットボタンの操作の監視のタイミング図である。
【図１１】  同じくクレジット数の移行の態様の説明図である。
【図１２】  同じく精算処理のフローチャートである。
【図１３】  同じく精算処理の変化を説明図である。
【符号の説明】
４ａ〜４ｃ  リール（可変表示装置）
５    補助表示装置
６    スタートレバー
１２ａ  クレジット数表示部
１２ｂ  貸しクレジット数表示部
３０    カードユニット
３０ａ  カード挿入部
３０ｂ  カード返却スイッチ
５０    遊技制御装置（メイン制御装置）
６０    演出制御装置（サブ制御装置）
１００    遊技機（パチスロ機）
【図１】
0003894779.tif 000002
【図２】
0003894779.tif 000003
【図３】
0003894779.tif 000004
【図４】
0003894779.tif 000005
【図５】
0003894779.tif 000006
【図６】
0003894779.tif 000007
【図７】
0003894779.tif 000008
【図８】
0003894779.tif 000009
【図９】
0003894779.tif 000010
【図１０】
0003894779.tif 000011
【図１１】
0003894779.tif 000012
【図１２】
0003894779.tif 000013
【図１３】
0003894779.tif 000014